(57)【要約】      （修正有）【課題】表示不良の目立たないセル型反射表示装置を提供する。【解決手段】第１基板１ａの一表面上に第１電極層１ｂが形成された第１電極基板１と、第２基板２ａの一表面上に２以上の第２電極層２ｂが形成された第２電極基板２を、第１電極層１ｂ及び第２電極層２ｂが対向するように配置し、第１電極基板１及び第２電極基板２間に形成された隔壁部３と、隔壁部３により区画された複数のセル１３内に、少なくとも１種以上の電気応答性材料を含む表示媒体５ａが封入されたセル型表示媒体層と、を有するセル型反射表示装置１０であって、セル１３が第２電極層２ｂ及び２ｂが形成されていない領域である非電極形成領域１２と平面視上重なるように隔壁部３は形成され、セル１３及び非電極形成領域１２の重なり幅が対向配置された第１電極層１ｂ及び第２電極層２ｂ間の間隔ｈ以上であり、セル１３の幅ｐが５０μｍ以上２００μｍ未満の範囲内である。【選択図】図２
2015212773.tif 000002
【特許請求の範囲】
【請求項１】
第１基板および前記第１基板の一方の表面上に形成された第１電極層を有する第１電極基板と、
第２基板および前記第２基板の一方の表面上に形成された２以上の第２電極層を有し、前記第１電極基板に対して前記第１電極層および前記第２電極層が対向するように配置される第２電極基板と、
前記第１電極基板および前記第２電極基板間に形成された隔壁部と、
前記隔壁部により区画された複数のセル内に、少なくとも１種以上の電気応答性材料を含む表示媒体が封入されたセル型表示媒体層と、
を有するセル型反射表示装置であって、
前記セルが前記第２電極層および前記第２電極層が形成されていない領域である非電極形成領域と平面視上重なるように前記隔壁部は形成され、
前記セルおよび前記非電極形成領域の重なり幅が対向配置された前記第１電極層および前記第２電極層間の間隔以上であり、
前記セルの幅が５０μｍ以上２００μｍ未満の範囲内であることを特徴とするセル型反射表示装置。
【請求項２】
前記セル型反射表示装置が、バーコードの表示に用いられるものであることを特徴とする請求項１に記載のセル型反射表示装置。
【発明の詳細な説明】
【技術分野】
【０００１】
本発明は、表示不良の目立たないセル型反射表示装置に関するものである。
【背景技術】
【０００２】
近年、電子ペーパーや液晶表示装置等の各種のフラットタイプの表示装置の開発が進められている。このような表示装置は、背面にバックライトを設け、その発光を表示パネルで制御する透過型表示装置と、周囲の照明（以下、「環境光」とも言う）の反射光を制御する反射型表示装置とに大別される。また、このうち反射型表示装置は、低消費電力である、目が疲れない、および直射日光下での視認性が良い等の優れた特性を有することから応用が進められている。
【０００３】
反射型表示装置は、その表示方式によりいくつかの類がある。表示方式としては、例えば電気泳動方式、ツイストボール方式、液晶表示方式、サーマル方式（発色方式、光散乱方式）、エレクトロクロミック方式、エレクトロウェッティング方式、磁気泳動方式等が挙げられる。
以下、反射型表示装置の一例として、電気泳動方式で表示を行う反射型表示装置（以下、電気泳動表示装置と称する場合がある。）について説明する。
【０００４】
電気泳動表示装置は、空気中または溶媒中の電気泳動体（通常は電気泳動する粒子）の電気的な泳動、すなわち粒子移動を利用して情報を表示する装置である。このような電気泳動表示装置は、２枚の電極基板間に電界を付与することで電気的な泳動の状態が制御され、それによって所望の表示が実現されるものであり、電子ペーパー等へ応用することにより、印刷物レベルの視認性、情報書き換えの容易性といった特長を有することが可能である。
【０００５】
電気泳動表示装置の構造にはいくつか種類があるが、中でも、一対の電極基板間に複数の隔壁部を配置して区画されたセル型の構造は、粒子の沈降、偏在に起因する表示の不良、特にコントラストの低下を抑制できることから、電子ペーパーに好適なものとして用いられている（例えば、特許文献１および特許文献２参照）。
【０００６】
セル型電気泳動表示装置は、図５で示すように、一対の電極基板２１Ａ、２１Ｂが対向して配置され、電極基板２１Ａ、２１Ｂの間に隔壁部２２が形成されたものであり、隔壁部２２により微小な領域２３が区画されている。なお、隔壁部２２により区画された微小な領域２３は、セルあるいは画素と称される。各セル２３内には、電気泳動する電気泳動体２５Ａ、２５Ｂ、あるいは電気泳動体２５Ａ、２５Ｂを含むインク等の表示媒体２４が封入されており、電極基板２１Ａ、２１Ｂ間に電界を与えると、表示媒体２４中の電気泳動体２５Ａ、２５Ｂが移動して表示面側Ｘに引き上げられることで、画像が形成される。
【先行技術文献】
【特許文献】
【０００７】
【特許文献１】特開２０１１−１７５２２５号公報
【特許文献２】国際公開第２００５／０１５８９２号公報
【発明の概要】
【発明が解決しようとする課題】
【０００８】
セル型電気泳動表示装置等の表示媒体が隔壁部により区画されたセル内に封入された構造を有するセル型反射表示装置において、隔壁部により区画されるセルが電極基板上に所定の間隔で形成された電極間を跨ぐように形成されている場合、セルの全域が表示不良となり、セル内の電極が形成されている電極形成領域上においても表示不良の不具合が生じることがある。また、表示不良が目立つ結果、表示する情報を認識し難いものとなる不具合が生じることがある。
【０００９】
本発明は、上記実情に鑑みてなされたものであり、表示不良の目立たないセル型反射表示装置を提供することを主目的とする。
【課題を解決するための手段】
【００１０】
本発明者等は、上記課題を解決すべく研究を重ねた結果、表示不良となるセルの幅を所定の範囲内とすることにより、例えセル全域が表示不良となった場合でも表示不良を目立たないものとすることができることを見出し、本発明を完成させるに至ったのである。
【００１１】
すなわち、本発明は、第１基板および上記第１基板の一方の表面上に形成された第１電極層を有する第１電極基板と、第２基板および上記第２基板の一方の表面上に形成された２以上の第２電極層を有し、上記第１電極基板に対して上記第１電極層および上記第２電極層が対向するように配置される第２電極基板と、上記第１電極基板および上記第２電極基板間に形成された隔壁部と、上記隔壁部により区画された複数のセル内に、少なくとも１種以上の電気応答性材料を含む表示媒体が封入されたセル型表示媒体層と、を有するセル型反射表示装置であって、上記セルが上記第２電極層および上記第２電極層が形成されていない領域である非電極形成領域と平面視上重なるように上記隔壁部は形成され、上記セルおよび上記非電極形成領域の重なり幅が対向配置された上記第１電極層および上記第２電極層間の間隔以上であり、上記セルの幅が５０μｍ以上２００μｍ未満の範囲内であることを特徴とするセル型反射表示装置を提供する。
【００１２】
本発明によれば、第２電極層および非電極形成領域と平面視上重なるセルの幅が上記範囲内であることにより、セルの非電極形成領域との重なり幅がセルギャップ以上であることによってセルの全域が表示不良となる場合であっても、第２電極層上において表示不良となる領域の面積を狭いものとすることができる。このため、表示不良の目立たないものとすることができる。
【００１３】
本発明においては、上記セル型反射表示装置が、バーコードの表示に用いられるものであることが好ましい。バーコードの読み取り不良のないものとすることができるからである。
【発明の効果】
【００１４】
本発明においては、表示不良の目立たないセル型反射表示装置を提供できるといった作用効果を奏する。
【図面の簡単な説明】
【００１５】
【図１】本発明のセル型反射表示装置の一例を示す概略平面図である。
【図２】図１のＡ−Ａ線断面図である。
【図３】セルの表示不良を説明する説明図である。
【図４】本発明におけるセルを説明する説明図である。
【図５】一般的なセル型反射表示装置の一例を示す概略断面図である。
【発明を実施するための形態】
【００１６】
本発明は、セル型反射表示装置に関するものである。
以下、本発明のセル型反射表示装置について説明する。
【００１７】
本発明のセル型反射表示装置は、第１基板および上記第１基板の一方の表面上に形成された第１電極層を有する第１電極基板と、第２基板および上記第２基板の一方の表面上に形成された２以上の第２電極層を有し、上記第１電極基板に対して上記第１電極層および上記第２電極層が対向するように配置される第２電極基板と、上記第１電極基板および上記第２電極基板間に形成された隔壁部と、上記隔壁部により区画された複数のセル内に、少なくとも１種以上の電気応答性材料を含む表示媒体が封入されたセル型表示媒体層と、を有するセル型反射表示装置であって、上記セルが上記第２電極層および上記第２電極層が形成されていない領域である非電極形成領域と平面視上重なるように上記隔壁部は形成され、上記セルおよび上記非電極形成領域の重なり幅が対向配置された上記第１電極層および上記第２電極層間の間隔以上であり、上記セルの幅が５０μｍ以上２００μｍ未満の範囲内であることを特徴とするものである。
【００１８】
このような本発明のセル型反射表示装置について図を参照して説明する。図１は本発明のセル型反射表示装置の一例を示す概略平面図である。図２は図１のＡ−Ａ線断面図である。なお、図１および図２は、本発明のセル型反射表示装置として、セル型表示媒体層がセル型電気泳動表示媒体層であるセル型電気泳動表示装置を示すものである。
図１および図２に例示するように、本発明のセル型反射表示装置は、第１基板１ａおよび上記第１基板１ａの一方の表面上に形成された第１電極層１ｂを有する第１電極基板１と、第２基板２ａおよび上記第２基板２ａの一方の表面上に形成された２以上の第２電極層２ｂを有し、上記第１電極基板１に対して上記第１電極層１ｂおよび上記第２電極層２ｂが対向するように配置される第２電極基板２と、上記第１電極基板１および上記第２電極基板２間に形成された隔壁部３と、上記隔壁部３により区画された複数のセル１３内に、少なくとも１種以上の電気泳動体を含む表示媒体５ａが封入されたセル型表示媒体層５と、を有し、上記セル１３が上記第２電極層２ｂおよび上記第２電極層２ｂが形成されていない領域である非電極形成領域１２と平面視上重なるように上記隔壁部３は形成され、上記セル１３および上記非電極形成領域１２の重なり幅ｄが対向配置された上記第１電極層１ｂおよび上記第２電極層２ｂ間の間隔ｈ以上であり、上記セル１３の幅ｐが５０μｍ以上２００μｍ未満の範囲内であるものである。
なお、図１においては説明の容易のため、第１電極基板の記載を省略するものである。
【００１９】
本発明によれば、第２電極層および非電極形成領域と平面視上重なるセルの幅が上記範囲内であることにより、セルの非電極形成領域との重なり幅がセルギャップ以上であることによってセルの全域が表示不良となる場合であっても、第２電極層上において表示不良となる領域の面積を狭いものとすることができる。このため、表示不良の目立たないものとすることができる。
なお、セルの非電極形成領域との重なり幅がセルギャップ以上であることによってセルの全域が表示不良となる理由については明確ではないが、以下のように推察される。
すなわち、第２電極層および第１電極層間に加わる電界は、第２電極層が形成されていない領域である非電極形成領域上では第２電極層の端部から第２電極層および第１電極層間の方向に対して概ね４５°斜めの方向にまで及ぼすことができる。しかしながら、第２電極層と平面視上重なるように形成されたセルの非電極形成領域との重なり幅がセルギャップ以上の距離である場合、非電極形成領域と重なるセル内に電界の影響を及ぼすことができない部位が生じる。このため、非電極形成領域と重なるセル内において電気的な制御が困難な電気応答性材料が生じる。そして、そのような制御が困難な電気応答性材料同士が凝集等し、さらに、この凝集の影響が同一セル内に含まれる第２電極層上の電気応答性材料にも及び、凝集等の不具合を引き起こす。その結果、セル内の第２電極層上の電気応答性材料をも十分に制御できなくなりセル全域で表示不良を引き起こすのである。
特に、表示装置として用いられる場合は、常に全ての第２電極層および第１電極層間に電界が形成されているわけではない。例えば、既に説明した図１および図２では、非電極形成領域を跨ぐように形成されたセルに対して、非電極形成領域を挟んで形成された２つの第２電極層の両者から電界が及び得るが、２つの第２電極層の両者から常に電界が及ぼされているわけではない。このため、セルの非電極形成領域との重なり幅がセルギャップ以上である領域が存在し、少なくとも一方の第２電極層からの電界の影響を受けにくい箇所が生じることで、上述のような表示不良を引き起こすことになるものと考えられる。
【００２０】
また、表示不良に対する解決方法としては、例えば、第２電極層間に挟持されるように形成された非電極形成領域については、その幅を狭くすることも考えられる。しかしながら、本発明のセル型反射表示装置の製造方法によっては、例えば、第２電極層をパターン状に形成する方法として、第２基板の全面に形成された導電材料層上に形成されたドライフィルムをフォトリソグラフィ法によりパターニングしたのち、パターニングされたドライフィルムをマスクとして用いて導電材料層をエッチングする方法等を用いた場合には、非電極形成領域の幅を狭くすることが困難な場合もある。
また、非電極形成領域と平面視上重なるセルを含まないように形成することも考えられるが、セルを位置精度良く形成することが困難な場合もある。
このように、上記セルの幅を上述の範囲内とすることにより、製造方法によらず、表示不良の目立たないものとすることができる。
【００２１】
さらに、図３（ａ）に例示するように、直線のライン状に設けられた第２電極層と、非電極形成領域と、の両者と平面視上重なるように配置されたセルの幅が広い場合には、第１電極層および第２電極層間に電界を付与した際に表示されるラインの幅方向の端部の形状が凹凸を含むものである点が容易に視認できる。また、セルのサイズが大きい場合には、直線のラインではなく、蛇行するラインとして認識される可能性もある。
これに対して、図３(ｂ)に例示するように、第２電極層および非電極形成領域と平面視上重なるように配置されたセルの幅が狭い場合には、表示されるラインの幅方向の端部の形状が凹凸を含むものである点を目立たないものとすることができる。また、直線のラインとして認識し易いものとすることができる。
このように、本発明のセル型反射表示装置を用いてバーコード等の直線のラインを表示する場合には、表示されるラインの幅方向の端部の形状が凹凸を含むものである点を目立たないものとすることができ、直線のラインとして認識し易いものとすることができることから、バーコードの読み取り不良のないものとすることができる。
ここで、人間が観察する文字等を表示する場合、文字を表示するラインの幅方向の端部の形状が多少凹凸を含むように表示されていても、文字を認識することは比較的容易である。
しかしながら、バーコード等のように機械による読み取られる情報の場合には、表示されるラインの幅方向の端部の形状が凹凸を含むことで直線のラインとして認識することができず、読み取り不良が生じることがある。
このようなことから、本発明の表示不良の目立たないものとすることができるとの効果は、バーコード等のように機械による読み取りに用いられる情報を表示する場合に特に有用である。
【００２２】
本発明のセル型反射表示装置は、第１電極基板、第２電極基板、隔壁部およびセル型表示媒体層を少なくとも有するものである。
以下、本発明のセル型反射表示装置の各構成について詳細に説明する。
【００２３】
１．隔壁部
本発明における隔壁部は、上記第１電極基板および上記第２電極基板間に形成されるものである。
また、上記隔壁部により区画されたセルが、上記第２電極層および上記非電極形成領域と平面視上重なるように形成されるものである。また、上記セルおよび上記非電極形成領域の重なり幅が対向配置された上記第１電極層および上記第２電極層間の間隔以上のものである。
さらに、上記セルの幅が５０μｍ以上２００μｍ未満の範囲内であるものである。
【００２４】
ここで、上記非電極形成領域は、第２基板上において第２電極層が形成されていない領域をいうものである。
また、セルが上記第２電極層および上記非電極形成領域と平面視上重なるように形成されるとは、隔壁部により区画されるセルが、第２電極層およびその第２電極層に隣接する上記非電極形成領域の両者と平面視上重なるように形成されること、すなわち、セルが、第２電極層および非電極形成領域の境界を少なくとも１つ跨ぐように形成されることをいうものである。
また、セルは隔壁部により区画されるものであり、隔壁部の内壁により囲まれるものである。
【００２５】
本発明においては、セルが跨ぐ上記境界の数は１以上であれば特に限定されるものではなく、２以上であっても良い。
図４は、セルを説明する説明図である。
図４（ａ）は、セルが隣接する第２電極層間に形成された非電極形成領域を跨ぐように形成される例、すなわち、セルが、隣接する第２電極層と上記第２電極層によって挟持される非電極形成領域との間の２つの境界を跨ぐように形成される例を示すものである。
図４（ｂ）は、隣接する第２電極層間に形成された非電極形成領域内に隔壁部が形成される例、すなわち、セルの端部が非電極形成領域内に形成される例を示すものであり、セルが、隣接する第２電極層と上記第２電極層によって挟持される非電極形成領域との間の１つの境界を跨ぐように形成される例を示すものである。
また、図４（ｃ）は、セルが隣接する第２電極層間に形成された非電極形成領域を跨ぐように形成され、さらにセルの両端部が非電極形成領域内に形成される例を示すものであり、隣接する第２電極層と上記第２電極層によって挟持される非電極形成領域との間の４つの境界を跨ぐように形成される例を示すものである。
なお、図４中の符号については、図１および図２と同一の部材を示すものであるので、ここでの説明は省略する。
【００２６】
上記セルおよび上記非電極形成領域の重なり幅は、対向配置された上記第１電極層および上記第２電極層間の間隔以上、すなわち、セルギャップ以上のものである。また、セルの幅より狭いものである。
なお、上記セルおよび上記非電極形成領域の重なり幅とは、上記セルおよび上記非電極形成領域の平面視上の重なりの、第２電極層および非電極形成領域の境界に対して垂直方向の距離のうち最大のものをいうものである。具体的にはすでに説明した図４中のｄで示されるものである。
また、セルが複数の上記非電極形成領域と平面視上重なる場合には、それぞれの重なり幅のうち最大のものをいうものである。具体的には図４（ｃ）に示すようにセルが複数の上記非電極形成領域と平面視上重なる場合には、重なり幅は、ｄ１、ｄ２およびｄのうち最大の幅であるｄで示されるものである。
【００２７】
上記セルギャップ、すなわち、対向配置された上記第１電極層および上記第２電極層間の間隔としては、所望の情報を表示可能なものであれば特に限定されるものではなく、本発明のセル型反射表示装置の種類によって異なるものであるが、例えば、１０μｍ〜１００μｍの範囲内とすることができ、なかでも、１０μｍ〜５０μｍの範囲内であることが好ましく、特に、１０μｍ〜３０μｍの範囲内であることが好ましい。上記セルギャップが上述の範囲内であることにより、情報を精度良く表示することができ、さらに、駆動電圧が低く消費電力の少ないものとすることができるからである。また、セルギャップの幅が狭いほどセル全域が表示不良となるセルが増えるが、上述のようにセルの幅を所定の範囲内とすることにより表示不良を目立たなくできるからである。
なお、上記セルギャップとしては、具体的には既に説明した図２中のｈで示される距離である。
【００２８】
上記セルの幅とは、セルの幅のうち最大のものをいうものである。また、セルの幅は、セルを区画する隔壁部の内壁間の距離のうち、上記第２電極層および上記非電極形成領域との間の境界に対して垂直方向の距離をいうものである。
このようなセルの幅としては、５０μｍ以上２００μｍ未満の範囲内であれば特に限定されるものではないが、５０μｍ〜１５０μｍの範囲内であることが好ましく、なかでも、１００μｍ〜１５０μｍの範囲内であることが好ましい。上記セルの幅が上述の範囲内であることにより、セルの全域が表示不良となる場合であっても、表示不良の目立たないものとすることができるからである。また、コントラストに優れたものとすることができるからである。
上記セルの幅は２種類以上を組み合わせたものであっても良い。
なお、上記セルの幅としては、具体的には既に説明した図１および図２中のｐで示される距離である。
【００２９】
上記セルの第２電極層との重なり幅としては、セル全域が表示不良となる場合でも、上述のようにセルの幅を所定の範囲内とすることにより表示不良の目立たないものとすることができるものであれば特に限定されるものではないが、１５０μｍ以内であることが好ましく、なかでも、１００μｍ以内であることが好ましく、特に、５０μｍ以内であることが好ましい。上記幅が上述の範囲内であることにより、セル全域が表示不良となる場合でも、上述のようにセルの幅を所定の範囲内とすることにより表示不良の目立たないものとすることができるとの効果をより効果的に発揮できるからである。
なお、上記セルおよび上記第２電極層の重なり幅とは、上記セルおよび上記第２電極層の平面視上の重なりのうち、第２電極層および非電極形成領域の境界に対して垂直方向の距離の合計をいうものである。
具体的には、既に説明した図４（ａ）および（ｃ）中のｗ１＋ｗ２、図４（ｂ）中のｗ１により示されるものである。
【００３０】
上記セルの平面視形状としては、上記表示媒体を封入することができるものであれば特に限定されないが、例えば、円、格子、六角形、三角形等の多角形等とすることができる。
また、全てのセルが同一の平面視形状を有するものであってもよく、セルごとに平面視形状が異なるものであってもよい。また、セルの大きさは全て同一であってもよく、セルごとに異なっていてもよい。
本発明においては、なかでも、セルの平面視形状が多角形である場合には、直角部分または鈍角部分のみを含むものであることが好ましい。角部において電気泳動体等の電気応答性材料の滞留の少ないものとすることができるからである。具体的には、四角形や六角形等であることが好ましく、なかでも、六角形であることが好ましい。
【００３１】
本発明のセル型表示媒体装置がバーコードの表示に用いられるものである場合、バーコードの線に沿った方向を長手方向としてバーコードの線に垂直な方向を短手方向とすると、バーコードの表示に用いられる第２電極層および上記非電極形成領域と平面視上重なるセルの長手方向の幅の短手方向の幅に対する割合（長手方向の幅／短手方向の幅）が、１．１〜２．５の範囲内であることが好ましく、なかでも、１．１〜１．５の範囲内であることが好ましい。上記セルの幅を狭いものとすることができ、開口率を上げることが容易だからである。このような割合となるセルの平面視形状としては具体的には、楕円形状、底辺および上底の幅より高さの高い平行四辺形状、長方形状および六角形状等を挙げることができるが、なかでも本発明においては、長方形状であることが好ましい。長方形状のセルの長辺をバーコードの線の長手方向と平行となるように配置することにより、セル全域が表示不良となった場合に、バーコードの線の幅方向の端部に凹凸の少ないものとすることができ、バーコードの線を読み取り容易なものとすることができるからである。
【００３２】
上記セルの面積、すなわち、隔壁部の内壁により区画される平面視面積としては、電気応答性材料を安定的に制御できるものであれば特に限定されるものではなく、電気応答性材料の種類等によって異なるものである。
具体的には、２０００μｍ２〜４００００μｍ２の範囲内であることが好ましく、なかでも、８０００μｍ２〜２５０００μｍ２の範囲内であることが好ましい。上記面積が上述の範囲内であることにより、電気泳動体を安定的に泳動させることができるからである。
【００３３】
上記隔壁部の高さとしては、電気応答性材料を安定的に制御できるものであれば特に限定されるものではなく、電気応答性材料の種類等によって異なるものである。
具体的には、５μｍ〜１００μｍの範囲内とすることができ、なかでも１０μｍ〜５０μｍの範囲内であることが好ましい。上記厚さが上述の範囲内であることにより、十分な表示特性、特にコントラストに優れたものとすることができるからである。また、駆動電圧が低く、厚みの薄い表示装置とすることができるからである。
隔壁部の断面形状としては、例えば、矩形、台形などが挙げられる。
【００３４】
また、上記隔壁部の開口率は高いことが好ましい。隔壁部により区画される単位セル当たりの面積が広くなるため、画像の表示領域が広くなり、高いコントラストを得ることができるからである。具体的には、上記開口率が、６０％以上であることが好ましく、特に９０％以上であることが好ましい。
【００３５】
上記隔壁部を構成する材料としては、電気応答性材料を含む表示媒体を安定的に封入できるものであれば特に限定されるものではないが、熱硬化性樹脂、感光性樹脂、感光性樹脂から成るドライフィルムレジスト等を挙げることができる。なかでも所望の形状を有するセルを形成するための隔壁部を、フォトリソグラフィ法を用いて容易に形成可能であるという点から、感光性樹脂から成るドライフィルムレジストが好ましい。感光性樹脂としては、ネガ型感光性樹脂が好ましく、例えば、感光性ポリイミド樹脂、アクリル系樹脂、感光性フェノール樹脂、感光性エポキシ樹脂、ノボラック樹脂、メラミン樹脂等が挙げられる。
【００３６】
上記隔壁部の形成方法としては、所望の形状の隔壁部を精度良く形成できる方法であれば特に限定されるものではなく、一般的なセル型反射表示装置と同様の方法を用いることができる。
具体的には、第１電極基板の第１電極層を有する表面全体にドライフィルムレジスト膜をラミネートし、露光および現像を行うフォトリソグラフィ法、第１電極基板の第１電極層を有する表面全体に隔壁部を構成する材料を塗布し凹凸版を押圧する型転写法、隔壁部を構成する材料を用いて印刷する印刷法等を用いることができる。また、隔壁部を構成する材料を用いてメッシュ加工の構造物を別途形成し、上記構造部を隔壁部として第１電極基板の第１電極層を有する表面に貼合する方法を用いることも可能である。
なお、各種形成方法における条件等については特に限定されず、使用される隔壁部を構成する材料に応じて適宜設定される。
【００３７】
上記隔壁部は、上記第１電極基板および上記第２電極基板の少なくともいずれか一方の電極基板に設けられるものとすることができるが、上記隔壁部および他方の電極基板間を接着させるための接着層を上記隔壁部の頂部表面上に有するものとすることができる。
上記接着層を構成する材料としては、熱可塑性材料等を用いることができる。
【００３８】
上記接着層の膜厚としては、１μｍ〜１００μｍの範囲内、中でも１μｍ〜５０μｍの範囲内、特に１μｍ〜１０μｍの範囲内であることが好ましい。
上記膜厚が上述の範囲内であることにより、上記第１電極基板および上記と第２電極基板を十分な接着力で貼り合わせることができるからである。また、表示装置の厚みを薄いものとすることができ、駆動電圧の低いものとすることができるからである。
なお、上記接着層の膜厚は第１電極基板および第２電極基板貼り合わせ後の厚みをいうものである。
【００３９】
上記隔壁部の頂部表面に接着層を形成する方法としては、特に限定されないが、例えば以下の方法を用いることができる。
まず、ポリエチレンテレフタレート（ＰＥＴ）フィルムからなる転写フィルム基材に、接着剤を塗工し、接着層を片面に有する転写フィルムを形成する。次に、上記転写フィルムの接着層側表面を隔壁部の頂部表面と合せ、転写フィルムの自重のみがかかる状態で、あるいは、さらに所定の押圧力を受けながら、接着剤の軟化温度以上の温度で加熱し、転写フィルムを剥離する。上記の方法により、隔壁部の頂部表面に接着層を熱転写することができる。
【００４０】
また、上記接着層との密着性を向上させるために、隔壁部に紫外線照射、プラズマ処理等による表面処理が施されてもよく、プライマー層が形成されてもよい。
【００４１】
２．セル型表示媒体層
本発明におけるセル型表示媒体層は、上記隔壁部により区画された複数のセル内に、少なくとも１種以上の電気応答性材料を含む表示媒体が封入されたものである。
【００４２】
上記電気応答性材料としては、セル内に封入され、第１電極層および第２電極層間に印加された電圧または電界に応答するものであれば特に限定されるものではなく、例えば、電荷粒子材料等を用いることができる。
上記電荷粒子材料としては、白色や黒色、カラー等の色づけされた粒子が電界に応答して移動するいわゆる電気泳動材料（電気泳動体）、または、粒子が二色に色分けされ電界により回転するツイストボールに代表される材料、または、電界により移動するナノ粒子材料等がある。
本発明においては、なかでも、電気泳動体であること、すなわち、表示媒体層がセル型電気泳動表示媒体層であり、本発明のセル型反射表示装置がセル型電気泳動表示装置であることが好ましい。セル内に封入されることにより、セル内に封入される表示媒体が第１電極層および第２電極層と直に接することで電界が直接印加されることから、電気的な安定化が図れるからである。
【００４３】
上記セル型電気泳動表示媒体層としては、少なくとも１種以上の電気泳動体を含むものであれば良く、特許文献１に記載されるような電気泳動体および液体媒体を含むものや、特許文献２に記載するような電気泳動体および気体媒体を含むものを挙げることができる。
【００４４】
上記液体媒体および気体媒体を含むセル型電気泳動表示媒体層に用いられる電気泳動体の材料としては、有色または無色、あるいは白色の無機顔料の粒子、有機顔料の粒子を用いることができる。
具体的には、上記無機顔料粒子としては、鉛白、亜鉛華、リトポン、二酸化チタン、硫化亜鉛、酸化アンチモン、炭酸カルシウム、カオリン、雲母、硫酸バリウム、グロスホワイト、アルミナホワイト、タルク、シリカ、ケイ酸カルシウム、カドミウムイエロー、カドミウムリトポンホワイト、黄色酸化鉄、チタンイエロー、チタンバリウムイエロー、カドミウムオレンジ、カドミウムリトポンオレンジ、モリブデートオレンジ、ベンガラ、鉛丹、銀朱、カドミウムレッド、カドミウムリトポンレッド、アンバー、褐色酸化鉄、亜鉛鉄クロムブラウン、クロムグリーン、酸化クロム、ピリジアン、コバルトグリーン、コバルトクロムグリーン、チタンコバルトグリーン、紺青、コバルトブルー、群青、セルリアンブルー、コバルトアルミニウムブルー、コバルトバイオレット、カーボンブラック、鉄黒、マンガンフェライトブラック、コバルトフェライトブラック、銅クロムブラック、銅クロムマンガンブラック、黒色低次酸化チタン（チタンブラック）、アルミニウム粉、銅粉、鉛粉、錫粉、亜鉛粉等を用いることができる。
また、有機顔料粒子としては、ファストイエロー、ジスアゾイエロー、縮合アゾイエロー、アントラピリミジンイエロー、イソインドリンイエロー、銅アゾメチンイエロー、キノフタロインイエロー、ベンズイミダゾロンイエロー、ニッケルジオキシムイエロー、モノアゾイエローレーキ、ジニトロアニリンオレンジ、ピラゾロンオレンジ、ペリノンオレンジ、ナフトールレッド、トルイジンレッド、パーマネントカーミン、ブリリアントファストスカーレッド、ピラゾロンレッド、ローダミン６Ｇレーキ、パーマネントレッド、リソールレッド、ボンレーキレッド、レーキレッド、ブリリアントカーミン、ボルドー１０Ｂ、ナフトールレッド、キナクリドンマゼンタ、縮合アゾレッド、ナフトールカーミン、ペリレンスカーレッド、縮合アゾスカーレッド、ベンズイミダゾロンカーミン、アントラキノニルレッド、ペリレンレッド、ペリレンマルーン、キナクリドンマルーン、キナクリドンスカーレッド、キナクリドンレッド、ジケトピロロピロールレッド、ベンズイミダゾロンブラウン、フタロシアニングリーン、ビクトリアブルーレーキ、フタロシアニンブルー、ファストスカイブルー、アルカリブルートーナー、インダントロンブルー、ローダミンＢレーキ、メチルバイオレットレーキ、ジオキサジンバイオレット、ナフトールバイオレット等が挙げられる。また、電気泳動体として、単独、または、２種類以上を使用してもよい。
【００４５】
上記液体媒体および気体媒体としては、上記電気泳動体を安定的に分散できるものであれば良く、セル型電気泳動表示装置に一般的に使用される分散液等や空気等を用いることができる。
具体的には、上記分散液としては、電気泳動体が均一に分散されれば特に制限は無く、公知の分散液を用いることができる。具体的には、芳香族炭化水素として、ベンゼン、トルエン、キシレン、エチルベンゼン、ドデシルベンゼン等のアルキルベンゼン誘導体、フェニルキシリルエタン、１，１−ジトリルエタン、１，２−ジトリルエタン、１，２−ビス（３，４−ジメチルフェニルエタン）（ＢＤＭＦ）等のジアリルアルカン誘導体、ジイソプロピルナフタレン等のアルキルナフタレン誘導体、モノイソプロピルフェニル、イソプロピルフェニル、イソアミルビフェニル等のアルキルビフェニル誘導体、各種割合にて水素化されたターフェニル誘導体、ジベンジルトルエン等のトリアリルジメタン誘導体、ベンジルナフタレン誘導体、フェニレンオキサイド誘導体、ジアルリアルキレン誘導体、アリルインダン誘導体、ポリ塩化ビフェニル誘導体、ナフテン系炭化水素等が挙げられる。また、ヘキサン、シクロヘキサン、ケロシン、アイソバー、パラフィン系炭化水素等の脂肪族炭化水素類、クロロホルム、トリクロロエチレン、テトラクロロエチレン、トリフルオロエチレン、テトラフルオロエチレン、ジクロロメタン、臭化エチル等のハロゲン化炭化水素類、リン酸トリクレジル、リン酸トリオクチル、リン酸オクチルジフェニル、リン酸トリシクロヘキシル等のリン酸エステル類、フタル酸ジブチル、フタル酸ジオクチル、フタル酸ジウラシル、フタル酸ジシクロヘキシル等のフタル酸エステル類、オレイン酸ブチル、ジエチレングリコールジベンゾエート、セバシン酸ジオクチル、セバシン酸ジブチル、アジピン酸ジオクチル、トリメリット酸トリオクチル、クエン酸アセチルトリエチレン、マレイン酸オクチル、マレイン酸ジブチル、酢酸エチル等のカルボン酸エステル類、塩素化パラフィン、Ｎ，Ｎ−ジブチル−２−ブトキシ−５−ターシャリオクチルアニリン等が挙げられる。また、本発明において、上記の分散液を単独、または、２種類以上を混合して使用することができる。
【００４６】
また、セル型電気泳動表示媒体層が液体媒体を含む場合は、電気泳動体および液体媒体の他に、染料等を含んでいても良く、種々の公知の材料を用いることができる。
上記染料としては、特に制限は無く、公知の染料を用いることができる。具体的には、スピリットブラック（ＳＢ、ＳＳＢＢ、ＡＢ）、ニグロシンベース（ＳＡ、ＳＡＰ、ＳＡＰＬ、ＥＥ、ＥＥＬ、ＥＸ、ＥＸＢＰ、ＥＢ）、オイルイエロー（１０５、１０７、１２９、３Ｇ、ＧＧＳ）、オイルオレンジ（２０１、ＰＳ、ＰＲ）、ファーストオレンジ、オイルレッド（５Ｂ、ＲＲ、ＯＧ）、オイルスカーレット、オイルピンク３１２、オイルバイオレット＃７３０、マクロレックスブルーＲＲ、スミブラストグリーンＧ、オイルブラウン（ＧＲ、４１６）、スーダンブラックＸ６０、オイルグリーン（５０２、ＢＧ）、オイルブルー（６１３、２Ｎ、ＢＯＳ）、オイルブラック（ＨＢＢ、８６０、ＢＳ）、バリファーストトイエロー（１１０１、１１０５、３１０８、４１２０）、バリファーストオレンジ（３２０９、３２１０）、バリファーストレッド（１７０１ｌ、１７０２）、バリファーストブラック（１８０２、１８０７、３８０４、３８１０、３８２０、３８３０）等の染料を適宜選択して含有させることにより、イエロー、マゼンダ、シアンの各色の表示媒体とすることができる。
【００４７】
上記セル型電気泳動表示媒体層に含まれる表示媒体の充填方法としては、例えば以下の方法により行うことができる。まず、隔壁部の頂部表面に接着層が形成された状態の基板に対し、上記表示媒体を含むインクをディスペンサあるいはインクジェット、ダイコート等から滴下し、中央スキージあるいはドクターブレード、ドクターナイフ等によって面内均一となるようにインキを塗工し、さらに両端スキージあるいはドクターブレード、ドクターナイフ等によって、セルからはみ出た余剰分のインクを掻き取り、最後にワイパによって一辺側に集まった余剰分のインクを掻き取ることにより、セル内のみにインクを充填させることができる。
【００４８】
３．第２電極基板
本発明における第２電極基板は、第２基板および上記第２基板の一方の表面上に形成された２以上の第２電極層を有し、上記第１電極基板に対して上記第１電極層および上記第２電極層が対向するように配置されるものである。
また、上記第２電極基板は、表示面側および背面側のいずれに用いられるものであっても良いが、通常、背面側に使用されるものである。
【００４９】
（１）第２電極層
本発明における第２電極層は、上記第２基板の一方の表面上に２以上形成されるものである。
また、第２電極層は、共通電極として形成される第１電極層に対して表示電極として用いられるものである。
【００５０】
上記非電極形成領域の幅としては、所望の情報を表示可能なものであれば特に限定されるものではなく、非電極形成領域が形成される箇所等によっても異なるものであるが、一般的なセル型反射表示装置と同様とすることができる。
例えば、非電極形成領域が隣接する第２電極層間に形成される場合、上記非電極形成領域の幅としては、具体的には、３０μｍ〜１００μｍの範囲内とすることができ、なかでも、５０μｍ〜１００μｍの範囲内であることが好ましい。上記幅が上述の幅であることにより、第２電極層を形成する方法として、パターニングされたドライフィルムをマスクとして用いて導電材料層をエッチングする方法等を用いた場合でも容易に形成できるからである。
【００５１】
上記第２電極層は、透明であってもよく不透明であってもよいが、通常、不透明である。
上記第２電極層が不透明な場合に用いられる不透明電極材料としては、例えば、Ｃｕ、Ａｇ、Ａｕ、Ｐｔ、Ａｌ、Ｃｒ、Ｃｏ、Ｓｎといった金属、ＡＰＣ（Ａｇ、Ｐｄ、Ｃｕを含む合金）等の上述した金属の合金、ＭＡＭ（モリブデン膜、アルミニウム・ネオジウム合金膜およびモリブデン膜がこの順に積層された複層金属膜）等が挙げられる。
なお、上記第２電極層が透明な場合に用いられる透明電極材料については、後述する「４．第１電極基板」の項に記載内容と同様とすることができる。
【００５２】
上記第２電極層の厚さとしては、導電性が確保できる厚さであれば特に限定されるものではないが、１５ｎｍ〜１０μｍの範囲内であることが好ましい。
上記第２電極層の厚さが上述の範囲内であることにより、第２電極層を均一な厚さで形成することが容易であるからである。また、製造コストの低いものとすることができるからである。
【００５３】
上記第２電極層の形成方法としては、所望の厚さおよびパターンとなるように形成することができる方法であれば特に限定されるものではなく、一般的な電極の成膜方法を用いることができる。具体的には、真空蒸着法、スパッタリング法、イオンプレーティング法等のＰＶＤ法、ＣＶＤ法、導電ペーストを塗布する方法、インクジェット法、スクリーン印刷法、フレキソ印刷法、メッキ法等が挙げられる。特に第２電極層として透明電極層を形成する場合には、スパッタリング法、真空蒸着法、ＣＶＤ法を用いることが好ましい。
また、第２電極層をパターン状に形成する方法としては、一般的な電極のパターニング方法を用いることができる。具体的にはドライレジストを第２電極層の形成のために形成された第２電極層形成用層上に配置し、フォトリソグラフィ方によりパターニングした後、パターニングされたドライレジストをマスクとしてエッチングする方法を用いることができる。
【００５４】
（２）第２基板
上記第２基板は、上記第２電極基板が背面側に配置される場合は、透明であってもよく不透明であってもよい。
【００５５】
上記第２基板を構成する材料としては、セル型反射表示装置に一般的に使用される透明材料や不透明材料を用いることができる。
上記不透明材料としては、上記透明材料により形成された第２基板の第２電極層が形成される表面と対向する表面、すなわち、上記第２基板の他方の表面に金属膜を蒸着したもの、上述した透明材料に染料、顔料等を練り込んだもの等を用いることができる。
なお、上記透明材料としては、後述する「４．第１電極基板」の項に記載のものと同様とすることができる。
【００５６】
上記第２基板の厚さとしては、１０μｍ〜１ｍｍの範囲内が好ましく、５０μｍ〜３００μｍの範囲内が好ましい。
上記第２基板の厚さが上記範囲内であることにより、十分な強度を有し破損の少ないものとすることができるからである。また、軽量であり、低コストなものとすることができるからである。
【００５７】
（３）第２電極基板
上記第２電極基板の第２電極層が形成された表面に対向する表面には、更なる機能層を有していても良い。例えば、上記第２電極基板がセル型反射表示装置の背面側に使用される場合、上記機能層として、例えばバリアフィルム、透明無機蒸着膜等のバリア層、紫外線カットフィルム等が用いられる。
【００５８】
上記第２電極基板の第２電極層の表面にメッキ処理等の酸化防止処理が施されてもよい。
【００５９】
４．第１電極基板
本発明における第１電極基板は、第１基板および上記第１基板の一方の表面上に形成された第１電極層を有するものである。
また、上記第１電極基板は、表示面側および背面側のいずれに用いられるものであっても良いが、通常、表示面側に使用されるものである。
【００６０】
（１）第１基板
上記第１基板は、透明であってもよく不透明であってもよいが、上記第１電極基板が表示側面に配置される場合は、上記第１基板も透明であること、すなわち第１基板が透明基板であることが好ましい。
上記透明基板を構成する透明材料としては、具体的には、ガラスや樹脂を用いることができる。
ガラスの具体例としては、無アルカリガラスやアルカリガラス等を挙げることができる。
また、樹脂の具体例としては、ポリプロピレン（ＰＰ）、ポリエチレンテレフタレート（ＰＥＴ）、ポリエチレンナフタレート（ＰＥＮ）、ポリエーテルサルフォン（ＰＥＳ）、ポリエチレン（ＰＥ）、ポリカーボネート（ＰＣ）、アクリル、ポリ塩化ビニル、ポリビニルアルコール、ポリイミド、ポリエーテルイミド、ポリエーテルエーテルケトン、ポリエーテルケトン、ポリフェニレンスルフィド、液晶ポリマー、エポキシ樹脂、シリコーン樹脂、フェノール樹脂等が挙げられる。なかでも本発明においては、ポリエチレンテレフタレート（ＰＥＴ）が好ましい。汎用性が高く、セル型反射表示装置の製造コストの低減が図れるからである。
また、上記第１基板が不透明な場合に用いられる不透明材料としては、上記「３．第２電極基板」の項に記載のものを用いることができる。
【００６１】
また、上記第１基板が透明性を有する場合、可視光領域における透過率が８０％以上であることが好ましく、９０％以上であることがより好ましい。フィルム基板の透過率が上記範囲であることにより、第１電極基板をセル型反射表示装置の表示面側に使用する場合に、表示輝度の低下等を防止することができるからである。
なお、第１基板の透過率は、ＪＩＳ  Ｋ７３６１−１（プラスチック−透明材料の全
光透過率の試験方法）により測定することができる。
【００６２】
上記第１基板の厚さについては、上記「３．第２電極基板」における「（２）第２基板」の項に記載の内容と同様とすることができる。
【００６３】
（２）第１電極層
本工程における第１電極層は、透明であってもよく不透明であってもよいが、上記第１電極基板が表示側面に配置される場合は、上記第１電極層も透明であること、すなわち第１電極層が透明電極層であることが好ましい。
【００６４】
上記透明電極層の透明電極材料としては、透明性を有する導電性材料であれば特に限定されるものではなく、例えば、酸化インジウム錫（ＩＴＯ）、酸化インジウム亜鉛（ＩＺＯ）、酸化錫、酸化亜鉛、酸化インジウム、酸化アルミニウム亜鉛（ＡＺＯ）等の導電性酸化物、Ａｕ、Ｎｉ、Ａｇ等の金属、ポリアニリン、ポリアセチレン、ポリアルキルチオフェン誘導体、ポリシラン誘導体のような導電性高分子、カーボンナノチューブやグラフェン等を用いることができる。
なお、上記第１電極層が不透明である場合に用いられる不透明電極材料については、上記「３．第２電極基板」の項に記載のものを用いることができる。
また、透明電極層の可視光領域における透過率は、上述した透明性を有する第１基板の可視光領域における透過率と同様であることが好ましい。
【００６５】
上記第１電極層の厚さおよび形成方法としては、一般的なセル型反射表示装置と同様とすることができる。具体的には上記「３．第２電極基板」の「（１）第２電極層」の項に記載の内容と同様とすることができる。
【００６６】
（３）第１電極基板
本発明における第１電極基板は、第１電極層が形成された表面に対向する表面には、更なる機能層を有していても良い。
上記第１電極基板がセル型反射表示装置の表示面側に使用される場合、上記機能層として、例えばバリアフィルム、透明無機蒸着膜等のバリア層、紫外線カットフィルム、防眩層（ＡＧ層）、傷防止層（ＨＣ層）、反射防止層（ＡＲ層）等が用いられる。
【００６７】
５．セル型反射表示装置
本発明のセル型反射表示装置は、第１電極基板、第２電極基板およびセル型表示媒体層を少なくとも有するものであが、必要に応じて他の部材を有するものであっても良い。
このような他の部材としては、例えば、上記第１電極基板および第２電極基板の外周に形成される封止用シール層等を挙げることができる。
なお、これらの他の部材としては、表示装置に一般的に使用されるものと同様とすることができるため、ここでの説明は省略する。
【００６８】
本発明のセル型反射表示装置の製造方法としては、上記セル型反射表示装置を安定的に得ることができる方法であれば特に限定されるものではなく、公知の表示装置の製造方法を用いることができる。
例えば、上記第１電極基板および第２電極基板を準備し、上記第２電極基板２上に隔壁部および接着層を形成し、表示媒体を隔壁部により区画されたセル内に封入することによりセル型表示媒体層を第２電極基板上に形成し、第１電極基板をセル型表示媒体層上に載せ、所定の圧力で押圧することにより、上記第１電極基板および上記第２電極基板により挟持されたセル型表示媒体層を有するセル型反射表示装置を得る方法を用いることができる。
【００６９】
本発明のセル型反射表示装置の用途としては、電子ペーパー等の表示装置を好ましく挙げることができる。なかでも本発明においては、バーコードの表示に用いられるものであることが好ましい。表示不良の少ないものとすることができるとの本発明の効果をより効果的に発揮することができ、バーコードの読み取り不良のないものとすることができるからである。
【００７０】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００７１】
以下、本発明について、実施例および比較例を挙げてより詳細に説明する。
【００７２】
[実施例１]
１．第２電極基板上への隔壁部の作製
以下の方法により、第２電極基板上に隔壁部を作製した。
既に説明した図１に示すように、厚さ１００μｍのポリエチレンテレフタレート（ＰＥＴ）フィルム（帝人・デュポン社製）にＣｕ電極（第２電極層）を第２電極層間の幅（非電極形成領域の幅）が５０μｍとなるように設けられた第２電極基板上に、ネガ型感光性樹脂材料（デュポンＭＲＣドライフィルムレジスト（株）社製、ドライフィルムレジスト）を２５μｍの膜厚となるようにラミネートし、１００℃下１分間の条件で加熱し、次いで露光マスクを使用して露光（露光量５００ｍＪ／ｃｍ２）し、その後、１％ＫＯＨ水溶液を用いた現像を３０秒行い、２００℃、６０分間の条件でポストベークすることで、隔壁部が形成された。形成された隔壁部により区画されるセルは、セルの幅１００μｍ、開口率８１％の六角形状であった。得られた隔壁部の高さは２４μｍであった。
また、セルおよび非電極形成領域の重なり幅のうち最も大きいものは、５０μｍであった。また、その際のセルおよび第２電極層の重なり幅は、５０μｍであった。
【００７３】
２．接着層の形成
厚さ５０μｍのポリエチレンテレフタレート（ＰＥＴ）フィルムの一方の面に接着剤（東洋紡社製バイロン５５０）が厚さ１０μｍで塗布された転写フィルムを準備し、接着剤側が上記第２電極基板上に形成された隔壁部の頂部と接するようにして転写フィルムを隔壁部上に載せた。この状態で所定の押圧力を加えながら接着剤がその軟化温度を超える温度である１００℃程度になるまで加熱し、隔壁部の頂部上に接着剤を熱転写することにより接着層を形成した。隔壁部上に形成された接着層の厚さは１０μｍであった。
【００７４】
３．セル型表示媒体層の形成
次に、隔壁部が形成された第２電極基板上に、以下の方法によりセル型表示媒体層を作製した。
【００７５】
第２電極基板の隔壁部を有する表面側に、以下の成分を有する表示媒体（インク）をディスペンサから滴下し、中央に位置するウレタン製スキージを用いてスキージ処理をして各セル内にインクを充填した。余剰分のインクは、両端に位置するウレタン製スキージを用いて掻き取り、さらにロールワイパにて拭き取った。
【００７６】
＜表示媒体（インク）成分＞
・電気泳動粒子（二酸化チタン）・・・６０重量部
・分散液 ・・・４０重量部
【００７７】
４．第１電極基板の作製
厚さ１００μｍのポリエチレンテレフタレート（ＰＥＴ）フィルム（帝人デュポン社製、支持基板）の一方の面に透明電極として酸化インジウムスズ（ＩＴＯ）蒸着膜（厚さ０．２μｍ）を成膜して成る第１電極基板を準備した。
【００７８】
５．セル型反射表示装置の作製
第２電極基板上に形成された隔壁部上の接着層上に上記第１電極基板を載せ、大気圧下(常圧雰囲気下）で、所定の押圧力を付与しつつ、接着層の周辺が１００℃程度になるまで加温した。
これにより、接着層を介して第１電極基板と第２電極基板とを貼合させた。得られた表示装置のセルギャップは３０μｍであった。
【００７９】
その後、所定のサイズに断裁し、第１電極基板および第２電極基板の周辺にディスペンサを用いて紫外線硬化樹脂（イー・エッチ・シー（株）製：ＬＣＢ−６１０）を塗工し、紫外線を露光（露光量７００ｍＪ／ｃｍ２ ）して硬化させて封止し、セル型反射表示装置を得た。
【００８０】
［実施例２］
セルの幅を１５０μｍとした以外は実施例１と同様にしてセル型反射表示装置を得た。なお、開口率は８７％であった。
また、セルおよび非電極形成領域の重なり幅のうち最も大きいものは、５０μｍであった。また、その際のセルおよび第２電極層の重なり幅は、１００μｍであった。
【００８１】
［実施例３］
セルの幅を１８０μｍとした以外は実施例１と同様にしてセル型反射表示装置を得た。なお、開口率は８９％であった。
また、セルおよび非電極形成領域の重なり幅のうち最も大きいものは、５０μｍであった。また、その際のセルおよび第２電極層の重なり幅は、１３０μｍであった。
【００８２】
［実施例４］
第２電極層間の幅（非電極形成領域の幅）を３５μｍの間隔として、セルの幅を１５０μｍとした以外は実施例１と同様にしてセル型反射表示装置を得た。なお、開口率は８７％であった。
また、セルおよび非電極形成領域の重なり幅のうち最も大きいものは、３５μｍであった。また、その際のセルおよび第２電極層の重なり幅は、１１５μｍであった。
【００８３】
［実施例５］
セルの幅を５０μｍとした以外は実施例１と同様にしてセル型反射表示装置を得た。なお、開口率は６４％であった。
また、セルおよび非電極形成領域の重なり幅のうち最も大きいものは、４０μｍであった。また、その際のセルおよび第２電極層の重なり幅は、１０μｍであった。
【００８４】
［参考例１］
第２電極層間の幅（非電極形成領域の幅）を２５μｍとして、セルの幅を２００μｍとした以外は実施例１と同様にしてセル型反射表示装置を得た。なお、開口率は９０％であった。
また、セルおよび非電極形成領域の重なり幅のうち最も大きいものは、２５μｍであった。また、その際のセルおよび第２電極層の重なり幅は、１７５μｍであった。
【００８５】
［比較例１］
セルの幅を２００μｍとした以外は実施例１と同様にしてセル型反射表示装置を得た。なお、開口率は９０％であった。
また、セルおよび非電極形成領域の重なり幅のうち最も大きいものは、５０μｍであった。また、その際のセルおよび第２電極層の重なり幅は、１５０μｍであった。
【００８６】
［比較例２］
セルの幅を２５０μｍとした以外は実施例１と同様にしてセル型反射表示装置を得た。なお、開口率は９２％であった。
また、セルおよび非電極形成領域の重なり幅のうち最も大きいものは、５０μｍであった。また、その際のセルおよび第２電極層の重なり幅は、２００μｍであった。
【００８７】
［比較例３］
セルの幅を３０μｍとした以外は実施例１と同様にしてセル型反射表示装置を得た。なお、開口率は４４％であった。
また、セルおよび非電極形成領域の重なり幅のうち最も大きいものは、２０μｍであった。また、その際のセルおよび第２電極層の重なり幅は、１０μｍであった。
【００８８】
［比較例４］
セルの幅を４０μｍとした以外は実施例１と同様にしてセル型反射表示装置を得た。なお、開口率は５６％であった。
また、セルおよび非電極形成領域の重なり幅のうち最も大きいものは、３０μｍであった。また、その際のセルおよび第２電極層の重なり幅は、１０μｍであった。
【００８９】
［評価］
（１）セルの表示不良有無の確認
実施例、参考例および比較例により得られたセル型反射表示装置について、第２電極層および非電極形成領域間の境界を跨ぐように形成されたセルについて表示不良の有無を目視にて確認し、セルの表示不良がある場合には×とし、表示不良が無い場合には○とした。結果を下記表１に示す。
【００９０】
（２）ライン観察
実施例、参考例および比較例により得られたセル型反射表示装置について、第２電極層の形状に対応して表示されるライン形状を目視にて観察し、ラインの境界部分の形状がラインに平行な直線状に観察される場合には○とし、凹凸状に観察される場合には×とした。結果を下記表１に示す。
【００９１】
（３）コントラスト観察
実施例、参考例および比較例により得られたセル型反射表示装置について、コントラストを目視で確認し、コントラストが良好な場合には○とし、コントラストがやや悪い場合には△とし、悪い場合には×とした。結果を下記表１に示す。
【００９２】
【表１】
2015212773.tif 000003
【００９３】
（４）まとめ
表１に示すように、実施例ではセルの表示不良が認められたが、表示されるライン形状およびコントラストの両者は良好であった。
また、比較例では表示されるライン形状およびコントラストの両者が良好なものとすることはできなかった。
参考例では、第２電極層間の間隔が狭く、セルの表示不良が認められなかった。
【符号の説明】
【００９４】
１ａ  …  第１基板
１ｂ…  第１電極層
１  …  第１電極基板
２ａ  …  第２基板
２ｂ…  第２電極層
２  …  第２電極基板
３  …  隔壁部
４  …  接着層
５ａ  …  表示媒体
５  …  セル型表示媒体層
１０  …  セル型反射表示装置
１１  …  基材
１２  …  非電極形成領域
１３  …  セル
１４  …  接着剤
２０  …  転写基板
【図１】
2015212773.tif 000004
【図２】
2015212773.tif 000005
【図３】
2015212773.tif 000006
【図４】
2015212773.tif 000007
【図５】
2015212773.tif 000008